(57)【要約】      （修正有）【課題】寝たきりの着用者の床ずれを軽減し得る排泄カップ着用カバーを提供する。【解決手段】後身頃領域２４ｃに配されるクッション材３３と、長手方向両端部および内側端部が開口部２５を挟んでトップシート３１に一体に接合され、弾性部材４５が外側端部に伸長状態で接合された左右一対の防漏バリヤ４６と、トップシート３１に接合されて防漏バリヤ４６の後身頃領域２４ｃ側の長手方向端部を覆う平滑化シート４７と、開口部２５と排泄カップ１１の開口縁部とを連結する開口部連結手段と、前身頃および後身頃領域２４ａ，２４ｃに形成されて排泄カップ１１の前端部および後端部をそれぞれ取り外し可能に連結する面ファスナ４０ａ，４０ｂを持った保持シート３９およびポケットシート４１とを具える排泄カップ着用カバー２４。【選択図】図１
2007097886.tif 000002
【特許請求の範囲】
【請求項１】
着用者の股間部にあてがわれて排泄物を外部に吸引排出するための排泄カップに取り付けられ、前身頃領域と股下領域と後身頃領域とを有すると共に前記排泄カップの開口縁部に対応した輪郭形状の開口部が形成された排泄カップ着用カバーであって、
着用者の皮膚に面する液透過性のトップシートと、
液不透過性のバックシートと、
少なくとも前記後身頃領域における前記トップシートと前記バックシートとの間に配されるクッション材と、
長手方向両端部および内側端部が前記開口部を挟んで前記トップシートに一体に接合され、弾性部材が外側端部に伸長状態で接合された液不透過性の左右一対の防漏バリヤと、
少なくとも前記後身頃領域における前記一対の防漏バリヤの長手方向一端部を覆うように前記トップシートに接合される平滑化シートと、
前記開口部と前記排泄カップの開口縁部とを連結するための開口部連結手段と、
前記前身頃領域に形成されて前記排泄カップの前端部を取り外し可能に連結する前部連結手段と、
前記後身頃領域に形成されて前記排泄カップの後端部に対して取り外し可能に連結する後部連結手段と
を具えたことを特徴とする排泄カップ着用カバー。
【請求項２】
前記開口部を囲むように前記トップシートに接合される液不透過性の防漏シートをさらに具えたことを特徴とする請求項１に記載の排泄カップ着用カバー。
【請求項３】
前記開口部に沿って前記トップシートと前記バックシートとの間に配され、濡れることによって色調が変化する漏液指示部材をさらに具えたことを特徴とする請求項１または請求項２に記載の排泄カップ着用カバー。
【請求項４】
着用者の腰周りを覆う前後一対のサイドフラップをさらに具え、これら前後一対のサイドフラップの端縁部を相互に接合または重ね合わせることによって、ウエスト周り開口部と一対の脚周り開口部とを形成することを特徴とする請求項１から請求項３の何れかに記載の排泄カップ着用カバー。
【請求項５】
開口部連結手段は、前記排泄カップに形成されたファスナ片に対して着脱自在に係合するファスナ片を含むことを特徴とする請求項１から請求項４の何れかに記載の排泄カップ着用カバー。
【請求項６】
開口部連結手段は、前記排泄カップに形成された凹部にこの凹部を覆う弾性変形可能なリップ部のスリットを介して押し込まれる部分を含むことを特徴とする請求項１から請求項４の何れかに記載の排泄カップ着用カバー。
【請求項７】
開口部連結手段は、前記バックシートに接合された粘着層を含むことを特徴とする請求項１から請求項４の何れかに記載の排泄カップ着用カバー。
【請求項８】
前身頃領域と開口部が形成された股下領域と後身頃領域とを有する排泄カップ着用カバーが取り付けられ、着用者の股間部にあてがわれて排泄物を受け入れるカップ部と、このカップ部の底部に連通し、排泄物をこのカップ部から外部に吸引排出するための吸引ポートとを有する排泄カップであって、
前記カップ部の開口縁部に近接して前記カップ部の壁面に形成された凹部と、
この凹部を覆う弾性変形可能なリップ部と、
このリップ部に形成され、前記排泄カップ着用カバーの開口部が差し込まれるスリットと
を具えたことを特徴とする排泄カップ。
【請求項９】
前記凹部および前記スリットは、前記カップ部の開口縁部に沿って延在していることを特徴とする請求項８に記載の排泄カップ。
【発明の詳細な説明】
【技術分野】
【０００１】
本発明は、着用者の排泄物を外部に吸引排出するための排泄カップおよびこの排泄カップに取り付けられる排泄カップ着用カバーに関する。
【背景技術】
【０００２】
寝たきりの被介護者の排泄物を自動的に外部に吸引排出する自動排泄処理装置として、例えば特許文献１に開示されたものが知られている。このような自動排泄処理装置の概念を図９に示すと、着用者１の股間部にあてがわれる排泄カップ２と、この排泄カップ２に可撓性の配管３を介して連結された処理ユニット４と、排泄カップ２の開口端縁が着用者１の皮膚に密着するようにこれを保持する排泄カップ着用カバー５とを具えている。処理ユニット４は、排泄カップ２から配管３を介して排泄物などを吸引回収すると共に温水および温風を排泄カップ２内に供給する機能を有する。また、排泄カップ着用カバー５は、排泄カップ２の開口端縁から排泄物などが漏れた場合にこれを受ける機能も有する。
【０００３】
着用者１が排泄をすると、排泄カップ２内に組み込まれた図示しないセンサがこれを検知し、処理ユニット４が作動して排泄カップ２に介在する排泄物を配管３から処理ユニット４内に吸引する。これと同時に、処理ユニット４から配管３を介して排泄カップ２内に温水が供給され、排泄カップ２内およびこの排泄カップ２の開口端縁で囲まれた着用者１の股間部の汚れが洗い落とされ、これらも排泄物と共に処理ユニット４内に吸引排除される。しかる後、処理ユニット４から配管３を介して温風が排泄カップ２内に供給され、排泄カップ２内およびこの排泄カップ２の開口端縁で囲まれた着用者１の股間部を乾燥させる。このようにして、おむつなどの頻繁な交換を伴わずに排泄物を自動処理し、被介護者および介護者双方の負担を軽減させることができる。
【０００４】
このような自動排泄処理装置においては、着用者１の股間部と、ここにあてがわれる排泄カップ２の開口端縁との間に隙間ができることを完全に回避することが困難である。このため、排泄カップ着用カバー５に形成された開口部が排泄カップ２の開口端縁に連結され、排泄物などが排泄カップ２から漏れたとしても排泄カップ着用カバー５によって受け止められ、外部に漏れないように配慮している。排泄カップ２の開口端縁と排泄カップ着用カバー５の開口部との連結手段としては、スナップ止めのものが特許文献２に開示され、ワイヤの引き絞りによるものが特許文献３にて提案されている。
【０００５】
【特許文献１】特開昭６４−１３５２６８号公報
【特許文献２】特開平８−３２２８６８号公報
【特許文献３】特開２００１−１９０５８３号公報
【発明の開示】
【発明が解決しようとする課題】
【０００６】
排泄カップを寝たきりの被介護者の股間部にあてがった場合、被介護者の臀部に硬質の排泄カップの後端部が当った状態となり、床ずれの大きな原因となる可能性が高い。しかしながら、従来の自動排泄処理装置はこれに関して特別な配慮がなされておらず、改善の余地があった。
【０００７】
また、従来の排泄カップの開口端縁と排泄カップ着用カバーの開口部とを着脱する場合、その着脱作業が面倒であって迅速に行うことができない。
【０００８】
さらに、排泄カップの開口端縁と排泄カップ着用カバーの開口部との間の隙間から排泄物などが漏れた場合、これを確認することが容易ではなく、介護者が気づく前に排泄カップ着用カバーが汚れてしまったり、最悪の場合にはベッドを汚してしまう可能性もあった。
【０００９】
本発明の目的は、寝たきりの着用者の床ずれを軽減し得る排泄カップ着用カバーを提供することにある。本発明の他の目的は、排泄カップの開口端縁と排泄カップ着用カバーの開口部との着脱を容易かつ迅速に行い得る排泄カップおよびその着用カバーを提供することにある。本発明の別な目的は、排泄物などが漏れたとしてもそれを容易に確認し得る排泄カップ着用カバーを提供することにある。
【課題を解決するための手段】
【００１０】
本発明の第１の形態は、着用者の股間部にあてがわれて排泄物を外部に吸引排出するための排泄カップに取り付けられ、前身頃領域と股下領域と後身頃領域とを有すると共に前記排泄カップの開口縁部に対応した輪郭形状の開口部が形成された排泄カップ着用カバーであって、着用者の皮膚に面する液透過性のトップシートと、液不透過性のバックシートと、少なくとも前記後身頃領域における前記トップシートと前記バックシートとの間に配されるクッション材と、長手方向両端部および内側端部が前記開口部を挟んで前記トップシートに一体に接合され、弾性部材が外側端部に伸長状態で接合された液不透過性の左右一対の防漏バリヤと、少なくとも前記後身頃領域における前記一対の防漏バリヤの長手方向一端部を覆うように前記トップシートに接合される平滑化シートと、前記開口部と前記排泄カップの開口縁部とを連結するための開口部連結手段と、前記前身頃領域に形成されて前記排泄カップの前端部を取り外し可能に連結する前部連結手段と、前記後身頃領域に形成されて前記排泄カップの後端部に対して取り外し可能に連結する後部連結手段とを具えたことを特徴とするものである。
【００１１】
本発明においては、排泄カップの後端部に排泄カップ着用カバーの後身頃領域を後部連結手段を介して連結し、排泄カップの開口縁部に排泄カップ着用カバーの開口部を開口部連結手段を介して連結し、さらに排泄カップの前端部に排泄カップ着用カバーの前身頃領域を前部連結手段を介して連結する。そして、この状態にて排泄カップを着用者の股間部にあてがい、着用者の下腹部から股間部を介して臀部に至る領域を排泄カップ着用カバーの前身頃領域と股下領域と後身頃領域とで覆う。排泄カップ着用カバーのクッション材は、着用者の臀部と排泄カップとの間に位置した状態となり、寝たきりの状態にある着用者の床ずれを緩和する。防漏バリヤによって排泄カップの開口縁部からの漏れが防止される排泄物は、排泄カップから外部へと吸引排出される。
【００１２】
本発明の第１の形態による排泄カップ着用カバーにおいて、開口部を囲むようにトップシートに接合される液不透過性の防漏シートを具えることができる。
【００１３】
開口部に沿ってトップシートとバックシートとの間に配され、濡れることによって色調が変化する漏液指示部材を具えることができる。
【００１４】
着用者の腰周りを覆う前後一対のサイドフラップを具え、これら前後一対のサイドフラップの端縁部を相互に接合または重ね合わせることによって、ウエスト周り開口部と一対の脚周り開口部とを形成するものであってよい。
【００１５】
開口部連結手段は、排泄カップに形成されたファスナ片に対して着脱自在に係合するファスナ片を含むことができ、ファスナ片としてスナップなどよりも位置合わせが容易な面ファスナを採用することが好ましい。また、開口部連結手段が排泄カップに形成された凹部にこの凹部を覆う弾性変形可能なリップ部のスリットを介して押し込まれる部分を含むものであってよい。あるいは、バックシートに接合された粘着層を含むことができる。この場合、排泄カップ着用シートを使用するまでは粘着層の保護のために剥離紙を粘着層に接合しておくことが有効である。
【００１６】
本発明の第２の形態は、前身頃領域と開口部が形成された股下領域と後身頃領域とを有する排泄カップ着用カバーが取り付けられ、着用者の股間部にあてがわれて排泄物を受け入れるカップ部と、このカップ部の底部に連通し、排泄物をこのカップ部から外部に吸引排出するための吸引ポートとを有する排泄カップであって、前記カップ部の開口縁部に近接して前記カップ部の壁面に形成された凹部と、この凹部を覆う弾性変形可能なリップ部と、このリップ部に形成され、前記排泄カップ着用カバーの開口部が差し込まれるスリットとを具えたことを特徴とするものである。
【００１７】
本発明においては、リップ部の弾性変形を伴ってスリットに排泄カップ着用カバーの開口部を差し込み、この排泄カップ着用カバーの開口部をスリットにより挟持させ、排泄カップのカップ部の開口端縁と排泄カップ着用カバーの開口部とを連結する。
【００１８】
本発明の第２の形態による排泄カップにおいて、凹部およびスリットがカップ部の開口縁部に沿って延在しているものであってよい。
【発明の効果】
【００１９】
本発明の排泄カップ着用カバーによると、少なくとも後身頃領域におけるトップシートとバックシートとの間にクッション材を配したので、寝たきりの着用者の後身頃と硬質の排泄カップとの間にクッション材が介在した状態となり、着用者の床ずれを緩和させることができる。また、外側端部に弾性部材が伸長状態で接合された液不透過性の左右一対の防漏バリヤの長手方向両端部および内側端部を開口部を挟んでトップシートに一体に接合したので、排泄カップの開口縁部からの排泄物の漏れを防止して排泄カップ着用カバーの汚損に伴う交換を回避することができる。特に、少なくとも後身頃領域における一対の防漏バリヤの長手方向一端部を覆う平滑化シートをトップシートに接合した場合、防漏バリヤの長手方向一端部によって生ずるトップシートからの段差を平滑化シートにより緩和して床ずれの発生を抑制することができる。
【００２０】
開口部を囲む液不透過性の防漏シートをトップシートに接合した場合、排泄物がトップシートからバックシート側へと浸透せず、防漏バリヤと相俟って排泄カップの開口縁部からの排泄物の漏れを確実に防止することができる。
【００２１】
濡れることによって色調が変化する漏液指示部材を開口部に沿ってトップシートとバックシートとの間に配した場合、排泄カップの開口縁部から排泄物の一部が漏れたり、排泄カップ着用カバー内に排泄物の一部が浸透したとしても、これを容易に視認することができる。この結果、排泄カップ着用カバーを適切に交換することが可能である。
【００２２】
着用者の腰周りを覆う前後一対のサイドフラップをさらに具え、これら前後一対のサイドフラップの端縁部を相互に接合または重ね合わせることによって、ウエスト周り開口部と一対の脚周り開口部とを形成した場合、排泄カップ着用カバーをおむつのように着用させることができる。これにより、排泄カップをより確実に着用者に密着状態で着用させることができる上、排泄カップの位置ずれなどを抑制することも可能となる。
【００２３】
開口部連結手段が、排泄カップに形成されたファスナ片に対して着脱自在に係合するファスナ片を含んだり、排泄カップに形成された凹部にこの凹部を覆う弾性変形可能なリップ部のスリットを介して押し込まれる部分を含んだり、あるいはバックシートに接合された粘着層を含む場合、何れの場合も排泄カップの開口縁部に対して排泄カップ着用カバーの開口部を容易かつ迅速に着脱することができる。
【００２４】
本発明の排泄カップによると、カップ部の開口縁部に近接してカップ部の壁面に形成された凹部と、この凹部を覆う弾性変形可能なリップ部と、このリップ部に形成され、排泄カップ着用カバーの開口部が差し込まれるスリットとを具えているので、このスリットから排泄カップ着用カバーの開口部を差し込むだけで極めて容易かつ迅速にカップ部に対して排泄カップ着用カバーの開口部を連結することができる。逆に、スリットに挟持された排泄カップ着用カバーの開口部を引っ張るだけで、極めて容易かつ迅速にカップ部に対して排泄カップ着用カバーを取り外すことができる。
【００２５】
凹部およびスリットをカップ部の開口縁部に沿って延在させた場合、カップ部の開口縁部とカップ着用カバーの開口部とを隙間なく連続的に連結させることができ、排泄物の漏れをより確実に防止することができる。
【発明を実施するための最良の形態】
【００２６】
本発明を図９に示す自動排泄処理装置に応用した一実施形態について、図１〜図８を参照しながら詳細に説明するが、本発明はこのような実施形態のみに限らず、特許請求の範囲に記載された本発明の概念に包含されるあらゆる変更や修正が可能であり、従って本発明の精神に帰属する他の任意の技術にも当然応用することができる。
【００２７】
排泄カップに排泄カップ着用カバーを取り付けた状態の外観を図１に示し、その中央部をそれぞれ左右方向，前後方向に沿って切断した断面構造を図２，図３に示し、これらを分離した状態の外観を図４に示し、排泄カップの外観を図５に拡大して示す。
【００２８】
本実施形態における排泄カップ１１は、着用者の股間部に沿って延在する開口縁部１２を持ったカップ本体１３と、このカップ本体１３の前端部に連結される蛇腹構造の前カップ部１４と、カップ本体１３の後端部に一体的に固定された背板１５とを有する。
【００２９】
排泄物を受け入れるカップ本体１３の底部には、排泄物を排出するための吸引ポート１６と、温風をカップ本体１３内に導くための温風ポート１７と、洗浄液をカップ本体１３内に導くための洗浄液供給ポート１８と、カップ本体１３に組み込まれた各種センサ１９の接続端子２０とが突設されている。基端が処理ユニット４（図９参照）に連結される配管３（図９参照）の先端部には、これらポート１６〜１８および接続端子２０と対応した形状の図示しない配管コネクタおよび端子コネクタが組み込まれ、このカップ本体１３の底部に対して着脱可能に連結される。着用者の股間部にあてがわれるカップ本体１３の内側の壁面には、その開口縁部１２に沿って延在するスリット２１と、このスリット２１に連通する溝状の凹部２２とが開口縁部１２に近接して形成されている。凹部２２を塞いでスリット２１を画成するリップ部２３は、指の力によって容易に弾性変形し得るように他の部分よりも肉薄に形成されている。あるいは、凹部２２を塞ぐリップ部２３をゴム状弾性体にて形成し、比較的硬質の樹脂にて形成されるカップ本体１３に対してこれを一体的に接合することも可能である。この凹部２２にはスリット２１を介して後述する排泄カップ着用カバー２４の開口部２５が本発明における開口部連結手段として差し込まれ、カップ本体１３の開口縁部１２に対して排泄カップ着用カバー２４の開口部２５を接合する。なお、上述した実施形態では凹部２２を溝状に形成したが、これを不連続に複数形成することも有効である。
【００３０】
湾曲した樋状をなす前カップ部１４は、その左右両側縁部が着用者の股間部から下腹部にかけて密着し得るように、半円弧状をなす複数のリブ２６をリンク結合し、これらを液不透過性の蛇腹布２７で覆ったものである。前カップ部１４は、蛇腹部分の先端側に一体的に連結されて輪郭形状が円形のドーム状に膨らんだ前板２８をさらに有し、この前カップ部１４は尿をカップ本体１３側に導く機能を有する。各リブ２６のリンク部分には、間欠的にスナップ片２９ａが取り付けられ、後述する排泄カップ着用カバー２４の開口部２５に形成された対応するスナップ片２９ｂが着脱自在に装着され、前カップ部１４の蛇腹部分の開口縁部１２に対して排泄カップ着用カバー２４の開口部２５を接合する。なお、フランジ状をなす前板２８の外周縁部は、平滑に形成され、ここに後述する排泄カップ着用カバー２４の開口部２５に形成された粘着層３０が剥離可能に接合されるようになっている。
【００３１】
着用者の臀部が載せられる背板１５は、カップ本体１３の後端部の開口縁部１２を囲むようにカップ本体１３に接合され、着用者の床ずれを軽減するために比較的軟質の樹脂にて形成されている。なお、カップ本体１３の後端部の開口縁部１２に近接する背板１５の平滑な部分に後述する排泄カップ着用カバー２４の開口部２５に形成された粘着層３０が剥離可能に接合されるようになっている。
【００３２】
展開状態の排泄カップ着用カバー２４を分解した外観を図６に示し、展開状態の内側および外側の平面形状を一部破断して図７，図８にそれぞれ示す。
【００３３】
本実施形態における排泄カップ着用カバー２４は、前身頃領域２４ａと股下領域２４ｂと後身頃領域２４ｃとを有し、前身頃領域２４ａおよび後身頃領域２４ｃには着用者の腰周りを覆う前後一対のサイドフラップ２４ｄが形成されている。また、この排泄カップ着用カバー２４の股下領域２４ｂの中央部には、排泄カップ１１の開口縁部１２に対応した輪郭形状の開口部２５が前身頃領域２４ａから後身頃領域２４ｃに亙って形成されている。
【００３４】
この排泄カップ着用カバー２４は、着用者の皮膚に面する液透過性のトップシート３１と、液不透過性のバックシート３２と、少なくとも後身頃領域２４ｃにおけるトップシート３１とバックシート３２との間に配されるクッション材３３とを具えている。本実施形態におけるクッション材３３は、少なくとも５・程度の厚みを持つパルプ製のマットにて形成されており、着用者の臀部に対する接触圧の分布が均等化されるようにし、これによって床ずれを抑制するように配慮している。なお、このパルプマット中に吸水性樹脂を混在させ、排泄カップ１１から漏れる可能性がある洗浄液などを吸水保持させるようにすることも有効である。
【００３５】
トップシート３１およびバックシート３２には、開口部２５を囲むように液不透過性の防漏シート３４がそれぞれ接合されている。また、トップシート３１とバックシート３２との間には、濡れることによって色調が変化する左右一対のテープ状をなす漏液指示部材３５が開口部２５を挟むように股下領域２４ｂから後身頃領域２４ｃに亙ってそれぞれ配されている。この漏液指示部材３５として、例えば特表平２００３−５１６１８５号公報に開示されたものを採用することが可能であり、これによって排泄物などの漏れを容易に視認することができ、排泄カップ着用カバー２４の適切な交換時期を決めることが可能である。
【００３６】
バックシート３２側に接合された防漏シート３４の開口部２５の一部、つまり上述した排泄カップ１１の前板２８の外周縁部に当接する部分と、カップ本体１３の後端部の開口縁部１２に近接する背板１５の平滑な部分に当接する部分とには、これらに対して剥離可能に接合する粘着層３０が塗布されている。なお、この粘着層３０には図示しない剥離紙が接合されており、この排泄カップ着用カバー２４を使用する際に剥離紙を剥がして粘着層３０を露出させるようにしている。また、排泄カップ１１の前カップ部１４の蛇腹部分に連結されるバックシート３２側に接合された防漏シート３４の開口部２５近傍には、先のスナップ片２９ａに対応したスナップ片２９ｂが所定間隔で形成されている。このように、本実施形態では排泄カップ１１の場所に応じて異なる形態の開口部連結手段を採用しているが、交換の際の作業性および接合状態の信頼性などを勘案して適当なものを選択することが好ましい。また、上述した実施形態以外に面ファスナなどを採用することも当然可能である。特に、上述したスナップ片２９ａ，２９ｂによるスナップ止めは手間が装着時に位置合せのための手間が掛かる可能性があるので、前カップ部１４の蛇腹部分の開口縁部１２と排泄カップ着用カバー２４の開口部２５とを面ファスナを介して接合することも有効である。
【００３７】
排泄カップ着用カバー２４の股下領域２４ｂに位置する左右両側のトップシート３１とバックシート３２との間には、脚周りギャザーを形成するための左右一対の弾性部材３６が接合されている。同様に、ウエスト周りギャザーを形成するための弾性部材３７が伸長状態で後身頃領域２４ｃのトップシート３１とバックシート３２との間に接合されている。この後身頃領域２４ｃのサイドフラップ２４ｄの部分には、前身頃領域２４ａのバックシート３２に接合された面ファスナ３８ａに剥離可能に接合される左右２組の面ファスナタブ３８ｂがバックシート３２と後述するサイドシート４４との間に挟まれた状態で接合されている。従って、前後一対のサイドフラップ２４ｄの端縁部を相互に接合または重ね合わせることによって、ウエスト周り開口部と一対の脚周り開口部とを形成することができ、この排泄カップ着用カバー２４を着用者に対してしっかりと着用させることができるようになっている。
【００３８】
バックシート３２の前身頃領域２４ａには、排泄カップ１１の前カップ部１４を抱き込むように保持するための左右一対の保持シート３９の外側縁部が接合され、本発明の前部連結手段として機能するようになっている。相互に重なり合うこれら一対の保持シート３９の内側縁部には、これらを相互に剥離可能に接合するための面ファスナ４０ａ，４０ｂが設けられている。また、バックシート３２の後身頃領域２４ｃには、排泄カップ１１の背板１５を保持する本発明の後部連結手段として機能するポケットシート４１の少なくとも左右両側縁部が接合されており、このポケットシート４１とバックシート３２との間に排泄カップ１１の背板１５を差し込むことにより、先の保持シート３９と相俟って排泄カップ１１と排泄カップ着用カバー２４との一体性を持たせ、これらの位置ずれが起こりにくくなるように配慮している。
【００３９】
バックシート３２の左右両側には、このバックシート３２と共にサイドフラップ２４ｄを画成し、その内側縁に沿って弾性部材４２を伸長状態で接合することにより、立体ギャザー４３を形成する液不透過性の一対のサイドシート４４の外側縁部が前身頃領域２４ａから後身頃領域２４ｃに亙って接合されている。また、この立体ギャザー４３の内側には、外側端部に弾性部材４５を伸長状態で接合した液不透過性の左右一対の防漏バリヤ４６の長手方向両端部および内側端部が開口部２５を挟んでトップシート３１に一体に接合されている。また、後身頃領域２４ｃ側に位置するこれら一対の防漏バリヤ４６の長手方向端部を一括して覆う平滑化シート４７がトップシート３１に接合され、同様の平滑化シート４８が前身頃領域２４ａに位置する防漏バリヤ４６の他端部をそれぞれ覆うようにトップシート３１に接合されている。後身頃領域２４ｃ側に配された平滑化シート４７は、トップシート３１と防漏バリヤ４６との接合部分の段差による着用者の臀部の擦れを軽減して床ずれの発生を抑制するためのものであり、液不透過性である必要はなく、肌触りが良好でありさえすれば液透過性であってもよい。
【００４０】
このような排泄カップ着用カバー２４を排泄カップ１１に装着する場合、排泄カップ１１の背板１５を排泄カップ着用カバー２４のポケットシート４１に差し込み、さらに保持シート３９を用いて前カップ部１４を抱き込む。この状態にて図示しない剥離紙を除去し、露出した粘着層３０を背板１５および前板２８のそれぞれ対応箇所に接合する。また、排泄カップ着用カバー２４の開口部２５に設けられたスナップ片２９ｂを対応する前カップ部１４のスナップ片２９ａにそれぞれ係合させる。さらに、カップ本体１３の開口縁部１２に位置する排泄カップ着用カバー２４の開口部２５を、カップ本体１３のリップ部２３の弾性変形を利用してスリット２１から凹部２２内に押し込み、スリット２１に挟持させる。このようにして排泄カップ着用カバー２４の開口部２５を排泄カップ１１の開口縁部１２に沿って連結し、一体化させた図１に示す状態の排泄カップ１１および排泄カップ着用カバー２４を着用者に装着する。より具体的には、着用者の臀部を持ち上げて排泄カップ着用カバー２４の後身頃領域２４ｃを排泄カップ１１の後端部と共に着用者の臀部に潜り込ませ、排泄カップ１１の開口縁部１２を着用者の股間部に押し当たるようにして排泄カップ着用カバー２４の前身頃領域２４ａを着用者の下腹部にあてがう。最後に、前身頃領域２４ａのサイドフラップ２４ｄを着用者のウエスト部に沿わせ、この状態にて後身頃領域２４ｃのサイドフラップ２４ｄに取り付けられた面ファスナタブ３８ｂを前身頃領域２４ａの面ファスナ３８ａに接合する。股間部には防漏バリヤ４６と立体ギャザー４３とが２重壁構造で脚周り開口部をシールした状態となっており、ここからの漏れを確実に防止することができる。
【図面の簡単な説明】
【００４１】
【図１】本発明による排泄カップおよび排泄カップ着用カバーを図９に示す自動排泄処理装置に適用した一実施形態の外観を表す立体投影図である。
【図２】図１に示した実施形態の左右方向に沿って中央部を切断した破断断面図である。
【図３】図１に示した実施形態の前後方向に沿って中央部を切断した破断断面図である。
【図４】排泄カップと排泄カップ着用カバーとを分離した状態の外観を表す立体投影図である。
【図５】図４に示した排泄カップの外観を拡大した立体投影図である。
【図６】図４に示した排泄カップ着用カバーを展開状態で分解した立体投影図である。
【図７】図６に示した排泄カップ着用カバーを内面側から展開状態で見た一部破断平面図である。
【図８】図６に示した排泄カップ着用カバーを外面側から展開状態で見た一部破断平面図である。
【図９】自動排泄処理装置の概念図である。
【符号の説明】
【００４２】
１１  排泄カップ
１２  開口縁部
１３  カップ本体
１４  前カップ部
１５  背板
１６  吸引ポート
１７  温風ポート
１８  洗浄液供給ポート
１９  センサ
２０  接続端子
２１  スリット
２２  凹部
２３  リップ部
２４  排泄カップ着用カバー
２４ａ  前身頃領域
２４ｂ  股下領域
２４ｃ  後身頃領域
２４ｄ  サイドフラップ
２５  開口部
２６  リブ
２７  蛇腹布
２８  前板
２９ａ，２９ｂ  スナップ片
３０  粘着層
３１  トップシート
３２  バックシート
３３  クッション材
３４  防漏シート
３５  漏液指示部材
３６，３７  弾性部材
３８ａ  面ファスナ
３８ｂ  面ファスナタブ
３９  保持シート
４０ａ，４０ｂ  面ファスナ
４１  ポケットシート
４２  弾性部材
４３  立体ギャザー
４４  サイドシート
４５  弾性部材
４６  防漏バリヤ
４７，４８  平滑化シート
【図１】
2007097886.tif 000003
【図２】
2007097886.tif 000004
【図３】
2007097886.tif 000005
【図４】
2007097886.tif 000006
【図５】
2007097886.tif 000007
【図６】
2007097886.tif 000008
【図７】
2007097886.tif 000009
【図８】
2007097886.tif 000010
【図９】
2007097886.tif 000011